(57)【要約】【課題】特に左右いずれか側の半身不自由な人等のリハビリ用に適用できる歩行補助車を提供する【解決手段】直立状態の使用者に対してその胴部近傍の両側と前部を囲う支持フレームを有し、前記支持フレームの両側下部の各後部にブレーキ機構を有する補助車を装着し、前記支持フレームの上部両側にスタンドを設け、同スタンドのいずれか一方に松葉杖枠の脚を取り外し可能に設け、前記ブレーキ用レバー付グリップを前記支持フレームのスタンド側に位置し反グリップ端部を前記支持フレームの前部の中央部に反グリップ端部を回動可能に装着した片ハンドルを設け、片ハンドルは反グリップ端部を中心に前記松葉杖枠セットスタンドとは逆のスタンド側に位置変更可能にしたことを特徴とする歩行補助車。【選択図】図１
2008206938.tif 000002
【特許請求の範囲】
【請求項１】
直立状態の使用者に対してその胴部近傍の両側と前部を囲う支持フレームを有し、前記支持フレームの下部両側に補助車を装着し、前記支持フレームの上部両側にスタンドを設け、同スタンドのいずれか一方に松葉杖枠の脚を取り外し可能に設け、グリップを前記支持フレームのスタンド側に位置し反グリップ端部を前記支持フレームの前部の中央部に回動可能に装着した片ハンドルを設け、片ハンドルは反グリップ端部を中心に前記松葉杖枠セットスタンドとは逆のスタンド側に位置変更可能にしたことを特徴とする歩行補助車。
【発明の詳細な説明】
【技術分野】
【０００１】  本発明は、特に左右いずれか側の半身不自由な人等のリハビリ用として用いられる歩行補助車に関するものである。
【背景技術】
【０００２】  従来の歩行器としては、病院や高齢者施設等で見受けられるように、後面が開放すると共に左右及び前面が囲まれ、キャスタによって移動可能に形成されたフレーム体構造のものが知られている。従って、この歩行器の使用に際しては、フレーム体を握ることによって腕の力で身体を支えながら歩行していくことになる。
しかしながら、従来のように、単なるフレーム体構造の歩行器では、身体を腕の力で支える必要があるため、腕力が弱っている人の場合には、身体を支えることが困難になるし、又、使用者の体格に合わせて調整することができないため、利用者が制限されてしまう。又、フレーム体の前方が囲まれているため、足がつかえることがあり、歩行しにくいし、又、使用の途中で休みたいと思っても、腰掛け部が備わっていないため、立ち姿勢のままで休まなければならず、弱っている足に負担がかかり、訓練が逆効果になってしまうという問題があった。
本発明者は、腕力が弱っている人であっても安全に使用することができると共に、使用者の体格に合わせて調節することができ、又、歩行しやすいと共に、疲れた場合等、途中で腰掛けて休むことができるようにした歩行器を特許文献１（特開２００１−１７４９１号公報）にて提供した。
この歩行器は、図３の斜視図に示すように前面を開放すると共に左右及び後面が囲まれ、キャスタ１１によって移動可能に形成されたフレーム体１と、このフレーム体１の左右に設けられた松葉杖枠２とを備え、前記松葉杖枠２はフレーム体１に立設した支持管１２に上下調節及び回動可能に嵌合する杖部２０と、この杖部２０の上端に連結された横腕部２１と、この横腕部２１に回動可能に連設された脇受け部２２で形成され、しかも座部３１を有する腰掛け部３を付設した歩行器である。
この歩行器にあっては、松葉杖枠２を設けているため、脇で身体を支えることができ、腕力を特に必要とせず、足への負担を軽減しながら歩行することができるし、身体の左右振れを抑制して真っ直な姿勢を保ちながら安全に歩行することができる。又、この松葉杖枠２は、上下調節可能及び回動可能であるため、使用者の体格身長に応じて高さ及び幅を調節することができ、特に、松葉杖枠２間の間隔をフレーム体１の左右間隔よりも狭く調整すると、足元の間隔が広くなり、しかもフレーム体の前面が開放しているため、足がつかえるといったことがなく、安全に歩行することができる。
【特許文献１】特開２００１−１７４９１号公報
【発明の開示】
【発明が解決しようとする課題】
【０００３】  本発明は、上記歩行器を更に一歩前進させて、特に左右いずれか側の半身不自由な人等のリハビリ用に適用できる歩行補助車を提供するものである。
【課題を解決するための手段】
【０００４】  即ち本発明の歩行補助車の特徴とするところは、次の構成にある。
直立状態の使用者に対してその胴部近傍の両側と前部を囲う支持フレームを有し、前記支持フレームの下部両側に補助車を装着し、前記支持フレームの上部両側にスタンドを設け、同スタンドのいずれか一方に松葉杖枠の脚を取り外し可能に設け、グリップを前記支持フレームのスタンド側に位置し反グリップ端部を前記支持フレームの前部の中央部に回動可能に装着した片ハンドルを設け、片ハンドルは反グリップ端部を中心に前記松葉杖枠セットスタンドとは逆のスタンド側に位置変更可能にしたことを特徴とする歩行補助車。
【発明の効果】
【０００５】  本発明は、上記の簡単な構成により、特に左右いずれでもその該当側の半身不自由な人等のリハビリ用に適用できるもので、その半身不自由側に応じて松葉杖枠５０１と片ハンドル６００の位置を又は両ハンドルの場合松葉杖枠５０１のみを簡単にクイックチェンジすることができるものである。
例えば右側半身が不自由な人の場合は、右側のスタンドに松葉杖枠をセットして右脇に松葉杖枠を当てて身体を支え右足への負担を軽減し、左右共用の片ハンドルを右側から左側に１８０度回動させて位置固定し、腕力のある左手にブレーキレバー付のハンドルを掴ませることにより、身体の左右振れを抑制して真っ直な姿勢を保ちながら安全に歩行することができる。
又、松葉杖枠および片ハンドルは、上下調節可能及び回動可能にして、使用者の体格身長に応じて高さ及び幅を調節することができる。
【発明を実施するための最良の形態】
【０００６】  本発明において、支持フレームとしては、一体型フレーム、分割組み立て型フレーム、折り畳み型フレーム等、使用場所に応じたフレーム形態を採用することが出来る。
本発明において、松葉杖枠としては、脇当て部は、障害の程度に応じて、深い又は浅いＵ字型、フラット又はそれに近い形態を適宜採用することが出来る。
また松葉杖枠の脚部の支持フレームのスタンド装着機構は、スタンドに差込セット、ねじ式セット、嵌めこみ回転ロックセットなど、適宜なセット形態にすることが出来る。
本発明において、ハンドルとしては普通自転車のハンドルをそのまま利用するか又は中央から半分を切り欠いた片ハンドル状態のものでもよい。
片ハンドルにした場合は、左右共用とするため中央部に回動装着機構を設置する形態が好ましい。
本発明において、ブレーキレバーは、ハンドルに装着したが、別個に支持フレームの適宜な位置に、レバーハンドル式、ラチエットレバー式、などを設置すればよい。ブレーキとしては、実施例１のように後部の補助車３０２、３０４にパッドを直接当接するタイプ、走行路に船形底等のブレーキシューを直接当接するタイプなど適宜に設置すればよい。
本発明において、後部の左右の補助車は、左右とも方向を前方に固定し、且つ実施例１のように各々一個のみ又は前後二個のみ又は前後二個と外方の計三個にして安定化を図り、前部の左右の補助車は、各々一個にし、方向を自在に首振可能にすることが好ましい。
【実施例１】
【０００７】  本発明の実施例１を図１〜図３と共に詳細に説明する。
本例の歩行補助車は、支持フレーム１００と松葉杖枠５０１と片ハンドル６００（左右両ハンドル形式でも一向に差し支えない）と補助車３０１〜３０４を主要構成としたものである。
支持フレーム１００は、パイプ製で直立状態の使用者に対してその胴部近傍と脚部の各両側と前部を安全に囲うものであり、各上端に水平のパイプホルダー７０１、７０３の中央部に接続した上部両側フレーム１０１、１０２と、逆Ｕ字型のパイプホルダー７０２、７０４を介して前後フレーム１０５ａ，１０５ｂ、１０６ａ，１０６ｂを設けた下部両側フレーム１０３、１０４と、パイプホルダー７０１と７０３の前部間に前部横フレーム１０７を設け、前フレーム１０５ａと１０６ａ間に前部横フレーム１０８を設けてなる。
前フレーム１０５ａと１０６ａには補助車３０１、３０３を首振り自在に装着し、後フレーム１０５ｂと１０６ｂには、挟みパッドをレリーズ機構により操作するブレーキ機構２０１、２０２を有する補助車３０２、３０４を一方向走行可能に固定装着し、パイプホルダー７０１、７０３には上中部に竪型パイプ製のスタンド４０１、４０２を設け、同スタンド４０１、４０２のいずれか一方に松葉杖枠５０１の脚５０２を取り外し可能に上方挿入セットする。
ブレーキ機構２０１、２０２は、片ハンドル６００に設けたブレーキ用レバー６０１にワイヤー式レリーズ機構を介して補助車のリムを挟み操作するパッドを接続したものである。ワイヤー式レリーズ機構は、図示していないが、ワイヤーをレバー６０１に一端を接続固定し、中間部を片ハンドル６００のグリップ６０２−ハンドル内−前部横フレーム１０７の中央部１０７ｃから分岐し−上部・下部両側フレームと後フレームで支持したガイドパイプ内に移動可能に配置し、他端部をブレーキパッド操作部に接続固定してある。
松葉杖枠５０１は、上部にクッション材を装填した脇当て部５０３を有し、下部に挿入深さ調節用及び回転阻止用のテーパーストッパー５０４を具備するパイプ製の脚部５０２を有し、脚部５０２を前記スタンド４０１、４０２のいずれか一方に取り外し自在に挿入セットする。
片ハンドル６００は、前記ブレーキ用レバー６０１付グリップ６０２を前記支持フレーム１００のスタンド側４０１又は４０２に位置し、反グリップ端部６０３を前記支持フレーム１００の前部横フレーム１０７の中央部１０７ｃに設けた軸受６０４に軸６０５を装着して、左右回動可能にしてある。これによりこの片ハンドル６００は、反グリップ端部６０３を中心に前記松葉杖枠５０１セットスタンド４０１又は４０２とは逆のスタンド側４０２又は４０１に位置変更可能にしてある。
前記ブレーキ用レバー６０１はグリップ６０２部の位置変更の際に下向きとなるように、グリップ６０２に１８０度回転可能に装着されている。
この構成により、特に左右いずれでもその該当側の半身不自由な人等のリハビリ用に適用できるもので、その半身不自由側に応じて松葉杖枠５０１と片ハンドル６００の位置を松葉杖枠５０１のみを簡単にクイックチェンジすることができるものである。
図中８００はホルダーとフレームとの接続固定・解除用のネジであり、９００はホルダー７０１、７０３の各後部と前部横フレーム１０７の中央部にフック機構で吊支持した三角腰掛シートである。
以上の構成により、」例えば右側半身が不自由な人の場合は、右側のスタンドに松葉杖枠５０１をセットして右脇に松葉杖枠５０１を当てて身体を支え右足への負担を軽減し、左右共用の片ハンドル６００を右側から左側に１８０度回動させて位置固定し、腕力のある左手にブレーキレバー付の片ハンドル６００を掴ませることにより、身体の左右振れを抑制して真っ直な姿勢を保ちながら安全に歩行することができる。
又、松葉杖枠５０１および片ハンドル６００は、上下調節可能及び回動可能にして、使用者の体格身長に応じて高さ及び幅を調節することが簡単にできるようにしてある。
【産業上の利用可能性】
【０００８】  本発明は、前記したように、簡単な構成により、特に左右いずれか側の半身不自由な人等のリハビリ用に適用できるもので、その半身不自由側に応じて松葉杖枠５０１と片ハンドル６００の位置を簡単にクイックチェンジして共用し、身体の左右の振れを抑制して真っ直な姿勢を保ちながら安全に歩行することができるなどの優れた作用効果を呈するため、この種歩行補助機器産業にて多く活用されることが期待できるものである。
【図面の簡単な説明】
【０００９】
【図１】本発明の実施例１を示す斜視説明図である。
【図２】図１に示す実施例１において、松葉杖枠５０１位置を右から左に、片ハンドル６００の位置を左から右にクイックチェンジした状態を示す斜視説明図である。
【図３】図１に示す歩行補助車を右側面から見た一部拡大図を挿入した斜視説明図である。
【図４】従来、本発明者が開発紹介した歩行器の斜視説明図である。
【符号の説明】
【００１０】  １００                支持フレーム
１０１、１０２        上部両側フレーム
１０３、１０４        下部両側フレーム
１０５ａ，１０５ｂ    前後フレーム
１０６ａ，１０６ｂ    前後フレーム
２０１〜２０２        ブレーキ機構
３０１〜３０２        補助車
４０１、４０２        スタンド
５０１                松葉杖枠
５０２                松葉杖枠の脚部
６００                片ハンドル
６０２                ブレーキ用レバー付グリップ
６０３                反グリップ端部
７０１，７０２，７０３，７０４      パイプホルダー
９００                三角腰掛シート
【図１】
2008206938.tif 000003
【図２】
2008206938.tif 000004
【図３】
2008206938.tif 000005
【図４】
2008206938.tif 000006